(57)【要約】【課題】円周方向に沿った内歯が形成された第１部材と、該第１部材と円周方向に相対回転可能に設けられた第２部材と、該第２部材に回転可能に設けられ、内歯と噛合可能な外歯を有したポールとを有するリクライニング装置に関し、ロック不良が発生しないリクライニング装置を提供することにある。【解決手段】  ポール３３にベースプレート（第２部材）２５に向けて突出した突部３５を設け、ベースプレート２５に突部３５が回転可能に嵌合する穴（凹部）３７を設ける。【選択図】図１
2012050695.tif 000002
【特許請求の範囲】
【請求項１】
円周方向に沿った内歯が形成された第１部材と、
該第１部材と円周方向に相対回転可能に設けられた第２部材と、
該第２部材に回転可能に設けられ、内歯と噛合可能な外歯を有したポールと、
外歯が内歯に噛合したロック位置、外歯と内歯との噛合が解除されたアンロック位置にポールを移動させる操作手段と、
ロック位置方向にポールを付勢する付勢手段と、
を有したリクライニング装置において、
前記ポールに前記第２部材に向けて突出した突部を設け、
前記第２部材に前記突部が回転可能に嵌合する凹部を設けたことを特徴とするリクライニング装置。
【請求項２】
前記ポールの突部が前記ポールの前記内歯側の端部にあることを特徴とする請求項１記載のリクライニング装置。
【請求項３】
少なくともポールの突部は、焼き入れによる焼き入れ硬化部となっていることを特徴とする請求項１または２記載のリクライニング機構。
【発明の詳細な説明】
【技術分野】
【０００１】
本発明は、円周方向に沿った内歯が形成された第１部材と、該第１部材と前記円周方向に相対回転可能に設けられた第２部材と、該第２部材に回転可能に設けられ、前記内歯と噛合可能な外歯を有したポールと、前記外歯が前記内歯に噛合したロック位置、前記外歯と前記内歯との噛合が解除されたアンロック位置に前記ポールを移動させる操作手段と、前記ロック位置方向に前記ポールを付勢する付勢手段とを有したリクライニング装置に関する。
【背景技術】
【０００２】
図７、図８を用いて説明する。図７は従来のリクライニング装置のロック状態を説明する図、図８は図７のリクライニング装置のアンロック状態を説明する図である。
【０００３】
これらの図において、シートバック側に接続されるアッパアーム（第１部材）１には、円周方向に沿った内歯３が形成されている。
【０００４】
シートクッション側に接続されるロアアーム（第２部材）５は、円周方向に沿って設けられた内歯３の中心軸Ｏを中心にアッパアーム１と相対回転可能に設けられている。
【０００５】
内歯３の内側には、上側と下側とにポール９が配置されている。また、ロアアーム５には、ポール９の回転中心軸となる断面形状が半月状の突部１１が形成されている。
【０００６】
そして、内歯３と対向するポール９の面には、突部１１が嵌合する半月状の切欠穴１３が形成されている。よって、ポール９は、ロアアーム５の突部１１を中心に回転可能となっている。更に、ロアアーム５には、ポール９を回転可能に案内するガイド１４が形成されている。
【０００７】
ポール９の内歯３と対向する面には、切欠穴１３を挟んで一方の側に内歯３と噛合可能な外歯７が、他方の側に内歯３に当接可能なストッパ部１５がそれぞれ形成されている。更に、ポール９の背面（内歯３と対向する面と反対側の面）には、外歯７と対向するロック部１７と、ストッパ部１５と対向するアンロック部１９とが形成されている。
【０００８】
ポール９の背面側には、内歯の中心軸Ｏを中心として回転可能なカム（操作手段）２０が配置されている。このカム２０が回転し、ポール９のロック部１７を押せば、ポール９は外歯７が内歯３に噛合したロック位置（図７参照）へ回転移動し、カム２０がポール９のアンロック部１９を押せば、ポール９は外歯７と内歯３との噛合が解除されたアンロック位置（図８参照）へ回転移動する。
【０００９】
更に、このカム２０は図示しない付勢手段より、ポール９がロック位置方向に回転移動する方向に付勢されている。
【００１０】
次に、上記構成のリクライニング装置の作動を説明する。図７にある状態は、図示しない付勢手段の付勢力により、カム２０はロアアーム５側のポール９のロック部１７を押している。よって、ポール９は、外歯７がアッパアーム１の内歯３に噛合するロック位置にあり、リクライニング装置は、ロアアーム５とアッパアーム１との相対回転が禁止されたロック状態にある。
【００１１】
ここで、図示しない付勢手段の付勢力に抗して、カム２０を回転させ、ポール９のアンロック部１９を押せば、ポール９は図８に示す外歯７と内歯３との噛合が解除されたアンロック位置へ回転移動し、リクライニング装置は、ロアアーム５とアッパアーム１との相対回転が可能なアンロック状態となる。
【００１２】
そして、所望のリクライニング角度を得たならば、カム２０への操作力を解除すると、ポール９は、図７に示す外歯７がアッパアーム１の内歯３に噛合するロック位置に回転移動し、リクライニング装置は、ロアアーム５とアッパアーム１との相対回転が禁止されたロック状態となる。
【先行技術文献】
【特許文献】
【００１３】
【特許文献１】欧州特許第００２４９７６号明細書
【発明の開示】
【発明が解決しようとする課題】
【００１４】
しかし、図７、８に示すリクライニング装置において、上側のポール９がロック位置からアンロック位置へ移動する際、また、アンロック位置からロック位置へ移動する際、ポール９が自重により回転中心軸である突部１１から外れ、ポール９の回転中心軸に対する位置ズレが発生する場合がある。
【００１５】
よって、内歯と外歯との噛み合いが不十分となるロック不良が発生する問題点がある。
【００１６】
本発明は、上記問題点に鑑みてなされたもので、その課題は、ロック不良が発生しないリクライニング装置を提供することにある。
【課題を解決するための手段】
【００１７】
請求項１に係る発明は、円周方向に沿った内歯が形成された第１部材と、該第１部材と円周方向に相対回転可能に設けられた第２部材と、該第２部材に回転可能に設けられ、内歯と噛合可能な外歯を有したポールと、外歯が内歯に噛合したロック位置、外歯と内歯との噛合が解除されたアンロック位置にポールを移動させる操作手段と、ロック位置方向にポールを付勢する付勢手段と、を有したリクライニング装置において、前記ポールに前記第２部材に向けて突出した突部を設け、前記第２部材に前記突部が回転可能に嵌合する凹部を設けたことを特徴とするリクライニング装置である。
【００１８】
請求項２に係る発明は、前記ポールの突部が前記ポールの前記内歯側の端部にあることを特徴とする請求項１記載のリクライニング装置である。
【００１９】
請求項３に係る発明は、少なくともポールの突部は、焼き入れによる焼き入れ硬化部となっていることを特徴とする請求項１または２記載のリクライニング機構である。
【発明の効果】
【００２０】
請求項１〜請求項３に係る発明によれば、前記ポールに前記第２部材に向けて突出した突部を設け、前記第２部材に前記突部が回転可能に嵌合する凹部を設けたことにより、ポールは第２部材に対し、回転以外の移動が禁止され、回転中心軸に対して位置ズレがなくなる。よって、内歯と外歯との噛み合いが不十分となるロック不良が発生しない。
【００２１】
請求項２に係る発明によれば、前記ポールの突部が前記ポールの前記内歯側の端部にあることにより、ポールの外歯の移動軌跡が、内歯と外歯とが噛み合う際の外歯の理想的な移動軌跡に近くなるので、噛み合いがスムーズとなる。
【００２２】
請求項３に係る発明によれば、少なくともポールの突部は、焼き入れによる焼き入れ硬化部となっていることにより、突部の強度が高くなっている。よって、ロック状態のリクライニング装置に、第１部材と第２部材とを相対回転させる大きな力が作用した場合でも、ポールの突部が変形せず、ポールの外歯と第１部材の内歯との噛合が解除されない。
【図面の簡単な説明】
【００２３】
【図１】本実施の形態のリクライニング装置の分解斜視図である。
【図２】図１のＡ方向矢視図である。
【図３】図２の切断線Ｂ−Ｂでの断面図である。
【図４】図１のベースプレートのＣ方向矢視図である。
【図５】本実施形態のロック装置のロック状態を説明する図である。
【図６】本実施形態のロック装置のアンロック状態を説明する図である。
【図７】従来のリクライニング装置のロック状態を説明する図である。
【図８】図７のリクライニング装置のアンロック状態を説明する図である。
【発明を実施するための形態】
【００２４】
次に図面を用いて本発明の実施の形態を説明する。
【００２５】
図１−図６を用いて、本実施の形態のリクライニング装置を説明する。図１は本実施の形態のリクライニング装置の分解斜視図、図２は図１のＡ方向矢視図、図３は図２の切断線Ｂ−Ｂでの断面図、図４は図１のベースプレートのＣ方向矢視図、図５は本実施形態のロック装置のロック状態を説明する図、図６は本実施形態のロック装置のアンロック状態を説明する図である。
【００２６】
図１において、シートバック側に設けられるラチェット（第１部材）２１は、円板状の板材をプレスにより半抜加工し、円形凹部２１ａが形成されている。この円形凹部２１ａの内周面には、内歯２３が円周方向全域に形成されている。また、円形凹部２１ａの中心には、貫通した穴２１ｂが形成されている。
【００２７】
シートクッション側に設けられるベースプレート（第２部材）２５も、円板状の板材をプレスにより半抜加工し、円形凹部２５ａが形成されている。この円形凹部２５ａの径は、ラチェット２１の外径より若干大きく設定されている。そして、円形凹部２５ａに、ラチェット２１が嵌め込まれ、ベースプレート２５とラチェット２１とは円周方向に沿って設けられた内歯２３の中心軸Ｏを中心に相対回転可能となっている。また、ラチェット２１の中心には、貫通した穴２５ｂが形成されている。
【００２８】
そして、図３に示すように、ラチェット２１の外周部と、ベースプレート２５の外周部とは、リング状の外周リング２７により挟持され、ラチェット２１とベースプレート２５とは、相対回転の軸（円周方向に沿って形成された内歯２３の中心：図１において軸Ｏ）方向に分離されることなく、相対回転可能に保持されている。
【００２９】
図１に戻って、ラチェット２１の円形凹部２１ａとベースプレート２５の円形凹部２５ａとが形成する空間には、カム３１が配置される。カム３１の中心には、非円形の穴３１ａが形成されている。そして、ラチェット２１の穴２１ｂ、ベースプレート２５の穴２５ｂに回転可能に支持される操作シャフト（図示せず）が、非円形（略小判状）の穴３１ａに嵌合し、操作シャフトによって、カム３１は回転駆動されるようになっている。
【００３０】
カム３１の周囲には、ポール３３が３つ配置されている。
【００３１】
そして、ポール３３のベースプレート２５との対向面上で、ポール３３の内歯２３側の端部には、半抜き加工によりベースプレート２５に向けて突出した突部３５が形成されている。本実施の形態では、ポール３３の突部３５の軸と直交する方向の断面形状は、図１に示すように、内歯２３側の第１円弧部３９と、第１円弧部３９の径より小さな径の第２円弧部４１とからなる略半月形である。
【００３２】
一方、ベースプレート２５には、ポール３３の突部３５が回転可能に係合し、ベースプレート２５を貫通した穴（凹部）３７が形成されている。穴３７の断面形状は、図１、図４に示すように、内歯２３側の第３円弧４３と、第３円弧４３の径より小さな径で、ポール３３の突部３５の第２円弧部４１と同じ径で、円弧長が第２円弧部４１より長い第４円弧４５とからなる略半月形である。
【００３３】
よって、ポール３３の回転中心軸は、突部３５の第２円弧部４１、穴３７の第４円弧４５の接点を通り、内歯の中心軸Ｏと平行な軸となる。そして本実施例では、図５，６に示すように、ポール３３の回転中心軸（Ｏ’）を内歯３２の近傍となるようにした。尚、穴３７は貫通穴であってもよいし、有底穴であってもよい。
【００３４】
ポール３３の内歯２３と対向する面には、突部３５を挟んで一方の側に内歯２３と噛合可能な外歯５７が、他方の側に内歯２３に当接可能な内歯対向部５５がそれぞれ形成されている。更に、ポール３３の背面（内歯２３と対向する面と反対側の面）には、外歯５７と対向するロック部５９と、内歯対向部５５と対向するアンロック部６１とが形成されている。更に、本実施形態のポール３３全体は、焼き入れ加工がなされている。
【００３５】
カム３１には、半径方向に延出し、各ポール３３のロック部５９とアンロック部６１とに押接可能なカム部６３が形成されている。
【００３６】
ベースプレート２５のラチェット２１との対向面上には、ラチェット２１方向に突出し、ポール３３を回転可能に案内するガイド５１が、半抜き加工により形成されている。
【００３７】
ガイド５１は、図５、６に示すように、ポール３３の外歯５７側の側面を案内する第１ガイド部５１ａと、ポール３３の内歯対向部５５側の側面を案内する第２ガイド部５１ｂと、第２ガイド部５１ｂに連設され、ポール３３のアンロック部６１が当接可能なストッパ部５１ｃとを有している。
【００３８】
図１、図２に示すように、ラチェット２１の外部に露出した面（ラチェット２１のベースプレート２５と対向する面と反対側の面）上には、リクライニング装置をシートバック側のフレームへの取り付け用の突部６５が半抜き加工により形成されている。ベースプレート２５の外部に露出した面（ベースプレート２５のラチェット２１と対向する面と反対側の面）上には、リクライニング装置をシートクッション側のフレームへの取り付け用の突部６７が半抜き加工により形成されている。
【００３９】
そして、一端部がカム３１に係止され、他端部がベースプレート２５に係止されたスプリング（付勢部材:図示せず）により、カム３１を介して、ポール３３はロック位置方向に付勢されている。
【００４０】
ここで、図５、図６を用いて、本実施形態のリクライニング装置の作動を説明する。
【００４１】
図５に示すように、カム３３に操作力を加えていない場合は、付勢部材の付勢力により、カム３３のカム部６３が各ポール３３のロック部５９を押している。よって、各ポール３３は、外歯５７がラチェット２１の内歯２３に噛合したロック位置にあり、ラチェット２１とベースプレート２５との相対回転は禁止され、シートバックはシートクッションに対して回転ができない状態（ロック状態）にある。尚、この時、ポール３３の内歯対向部５５は、内歯２３から離れた位置にある。
【００４２】
付勢部材の付勢力に抗して、図示しない操作シャフトを操作して、カム３３を回転させると、カム部６３は各ポール３３のアンロック部６１を押す。すると、図６に示すように、各ポール３３は、外歯５７とラチェット２１の内歯２３との噛合が解除されたアンロック位置に移動し、ラチェット２１とベースプレート２５との相対回転が可能となり、シートバックはシートクッションに対して回転可能となる。尚、図示しない操作シャフトの操作は、ポール３３のアンロック部６１がガイド５１のストッパ部５１ｃに当接するまで可能である。
【００４３】
操作シャフトへの操作力を解除すると、図５に示すように、付勢部材の付勢力により、ポール３３は、外歯５７がラチェット２１の内歯２３に噛合したロック位置に復帰し、ラチェット２１とベースプレート２５との相対回転は禁止され、再びロック状態となる。
【００４４】
このような構成のリクライニング装置によれば、以下のような効果が得られる。
【００４５】
(1) ポール３３に回転中心軸となる突部３５を設け、ベースプレート２５に突部３５が回転可能に嵌合する穴３７を設けたことにより、ポール３３はベースプレート２５に対して、回転以外の移動が禁止される。よって、ポール３３の回転中心軸Ｏ’に対する位置ズレが発生せず、内歯２３と外歯５７との噛み合いが不十分となるロック不良が発生しない。
【００４６】
(2) ポール３３の突部３５は、ポール３３の内歯２３側の端部にあることにより、ポール３３の外歯５７の移動軌跡が、内歯２３と外歯５７とが噛み合う際の理想的な移動軌跡に近くなるので、噛み合いがスムーズとなる。
【００４７】
(3) ポール３３の突部３５には、焼き入れによる焼き入れ硬化部となっていることにより、突部３５の強度が高くなっている。よって、ロック状態のリクライニング装置に、ラチェット２１とベースプレート２５とを相対回転させる大きな力が作用した場合でも、ポール３３の突部３５が変形せず、ポール３３の外歯５７とラチェット２１の内歯２３との噛合が解除されない。
【００４８】
尚、本発明は上記実施の形態に限定するものではない。上記実施の形態では、シートバック側にラチェット２１を設け、シートクッション側にベースプレート２５を設けたが、逆に、シートバック側にベースプレート２５を設け、シートクッション側にラチェット２１を設けてもよい。
【００４９】
また、上記実施形態では、ポール３３は３つ設けたが、１つでもよいし、２又は４以上あってもよい。
【００５０】
更に、ポール３３への焼き入れは、少なくとも突部３５だけでもよい。
【符号の説明】
【００５１】
２１  ラチェット（第１部材）
２５ ベースプレート（第２部材）
３１  カム
３３  ポール
３５  突部
４３  穴（凹部）
【図１】
2012050695.tif 000003
【図２】
2012050695.tif 000004
【図３】
2012050695.tif 000005
【図４】
2012050695.tif 000006
【図５】
2012050695.tif 000007
【図６】
2012050695.tif 000008
【図７】
2012050695.tif 000009
【図８】
2012050695.tif 000010